(57)【要約】 【課題】  本発明は、電線カバーを取付ける際の作業効率を向上させたレバー式コネクタを提供する。【解決手段】  レバー式コネクタにおいて、レバー１２は、雌ハウジング１０に対して待受け位置に保持された状態で、電線引出し面３２から斜め方向に突出する姿勢で保持される。電線引出し面３２には、電線カバー１３が、電線引出し面３２に対して斜め方向から取付けられており、電線２６は、電線カバー１３内で略直角に屈曲して配索されている。レバー１２のうち電線引出し面３２から突出する部位には案内部４８が形成されており、電線カバー１３には、電線カバー１３の取付け方向に沿う受け部５３が形成されている。案内部４８と受け部５３とが当たりあうことで、電線カバー１３は、姿勢を保持したまま取付け方向に沿って雌ハウジング１０の取付け位置に誘導され、かつ、電線２６の反力により回動することを防止できる。【選択図】  図３
2007066679.tif 000002
【特許請求の範囲】
【請求項１】
電線の端末に配設された端子金具を収容する一方のコネクタハウジングと、前記一方のコネクタハウジングと嵌合可能な他方のコネクタハウジングとを備えてなり、
前記一方のコネクタハウジングには、前記他方のコネクタハウジングに設けられたカムピンと係合可能なカム溝が形成されたアーム部を備えたレバーが、前記カムピンが前記カム溝に係合するのを許容する待受け位置と、前記両コネクタハウジングが正規嵌合する嵌合位置との間で回動可能に取付けられると共に、前記電線が引き出された電線引出し面を覆うように電線カバーが取付けられており、
前記電線引出し面から引き出された前記電線は、前記電線カバー内で略直角に屈曲した状態で配索されて、前記電線カバーの側面に開口された電線引出し口から引き出されるようになっているレバー式コネクタであって、
前記電線カバーは、前記電線引出し面に対して斜め方向から取付けられるようになっており、
前記レバーは、前記一方のコネクタハウジングの幅方向に沿った側面に、前記待受け位置において、前記アーム部の少なくとも一部が、前記電線引出し面から前記電線カバーの取付け方向後方に突出する姿勢で保持されるようになっており、
前記アーム部のうち前記電線引出し面から突出した部位には案内部が形成されると共に、前記電線カバーには前記案内部と係合する受け部が形成されており、前記案内部及び前記受け部の少なくとも一方は前記電線カバーの取付け方向に沿うように形成されており、
前記レバーが前記待受け位置に保持された状態で、前記案内部と前記受け部とが当たりあうことで、前記電線カバーは、姿勢が保持されたまま前記取付け方向に沿って前記一方のコネクタハウジング側の取付け位置に誘導されると共に、前記電線の反力を受けて回動するのを規制可能とされることを特徴とするレバー式コネクタ。
【請求項２】
前記レバーは、一対の前記アーム部を操作部により連結した略門形状をなすと共に、前記待受け位置において、前記一方のコネクタハウジングの前記幅方向に沿った両側面をまたぐようにして保持されるようになっており、
前記電線カバーは、前記一対のアーム部のうち前記電線引出し面から突出した部位の内面と当たりあうことで、前記幅方向と交差する方向の位置ズレが抑制された状態で、前記一対のアーム部の間に進入するようにして前記電線引出し面に取付けられることを特徴とする請求項１記載のレバー式コネクタ。
【請求項３】
前記レバーは、前記待受け位置おいて、前記レバーの一部が前記電線引出し面の一部を覆うような斜め姿勢で保持されるようになっており、
前記電線カバーは、前記レバーが前記待受け位置に保持された状態で、前記電線引出し面に対して、前記レバーの一部によって覆われている側の端部と反対側の端部側から斜め方向に取付けられるようになっており、
前記一方のコネクタハウジング及び前記電線カバーのいずれか一方には、前記電線カバーの取付け方向に沿う案内面が形成されており、他方には、前記案内面と摺接することで、前記電線カバーを前記一方のコネクタハウジングの取付け位置へ誘導する摺接部が形成されていることを特徴とする請求項１または請求項２記載のレバー式コネクタ。
【請求項４】
前記レバーは、前記一方のコネクタハウジングに対して、前記幅方向に関して対称な２つの姿勢での組付けを可能とされており、
前記電線カバーは、前記レバーの組付け姿勢に対応して、前記一方のコネクタハウジングに対して、前記幅方向に関して対称な２つの姿勢での組付けを可能とされており、
前記レバー及び前記電線カバーが前記一方のコネクタハウジングに対して前記幅方向に対称ないずれの姿勢で組付けられた場合でも、前記レバーが前記待受け位置に保持された状態で、前記電線カバーの姿勢が保持されたまま前記案内部と前記受け部とが当たりあうことで、前記電線カバーは、前記取付け方向に沿って前記一方のコネクタハウジング側の取付け位置に誘導されると共に、前記電線の反力を受けて回動するのを規制可能とされるとされることを特徴とする請求項１または請求項２記載のレバー式コネクタ。
【請求項５】
前記レバーは、前記一方のコネクタハウジングに対して、前記幅方向に関して対称な２つの姿勢での組付けを可能とされており、
前記電線カバーは、前記レバーの組付け姿勢に対応して、前記一方のコネクタハウジングに対して、前記幅方向に関して対称な２つの姿勢での組付けを可能とされており、
前記レバー及び前記電線カバーが前記一方のコネクタハウジングに対して前記幅方向に対称ないずれの姿勢で組付けられた場合でも、前記レバーが前記待受け位置に保持された状態で、前記電線カバーの姿勢が保持されたまま前記案内部と前記受け部とが当たりあうことで、前記電線カバーは、前記取付け方向に沿って前記一方のコネクタハウジング側の取付け位置に誘導されると共に、前記電線の反力を受けて回動するのを規制可能とされており、かつ、前記案内面と前記摺接部とが摺接することで、前記電線カバーが前記一方のコネクタハウジングの取付け位置へ誘導されることを特徴とする請求項３記載のレバー式コネクタ。
【請求項６】
前記端子金具は、前記電線引出し面側から、前記一方のコネクタハウジングに形成されたキャビティ内に挿入されるようになっており、
前記レバーは、前記一方のコネクタハウジングに対して、前記電線引出し面が前記端子金具の挿入方向後方に開放された状態になる端子金具挿入位置で保持可能とされることを特徴とする請求項１ないし請求項５のいずれかに記載のレバー式コネクタ。
【請求項７】
前記端子挿入位置は、前記嵌合位置となっていることを特徴とする請求項６記載のレバー式コネクタ。
【発明の詳細な説明】
【技術分野】
【０００１】
本発明は、レバー式コネクタに関する。
【背景技術】
【０００２】
従来より、レバー式コネクタとしては、特許文献１記載のものが知られている。このものは、電線の端末に配設された端子金具を収容する雌ハウジングと、この雌ハウジングと嵌合可能な雄ハウジングとを備えてなり、雌ハウジングには、雄ハウジングに設けられたカムピンと係合可能なカム溝を備えた回動レバーが、カムピンがカム溝に係合するのを許容する初期位置と、両ハウジングが正規嵌合する終了位置との間で回動可能に取付けられると共に、電線が引き出される電線引出し面を覆うように電線カバーが取付けられてなる。電線引出し面から引き出された電線は、電線カバー内で略直角に屈曲した状態で配索されて、電線カバーの側面に形成された開口から引き出されるようになっている。
【特許文献１】特開２００５−２０３１６３公報（第４図）
【発明の開示】
【発明が解決しようとする課題】
【０００３】
上記の構成によると、電線カバーを雌ハウジングに取付ける際、電線カバーは、略直角に屈曲された電線の反力を受けて、電線が復帰変形しようとする方向に回動しようとする。このため作業者は、電線の反力に抗するために、電線カバーの背面を押圧しながらハウジングに組み付けなければならない。このため、電線の反力が強い場合には、電線カバーを雌ハウジングの取付け位置に配することが困難な場合がある。
【０００４】
そこで、雌ハウジングのうち電線カバーの取付け位置の近傍に、電線カバーを取付け位置に誘導するための案内部を設けることが考えられる。しかし上記の構成によると、電線カバーが雌ハウジングと係合する直前になって初めて、電線カバーと案内部とが係合することになる。このため、電線カバーが案内部と係合して以後の工程における作業者の負担は軽減されるが、電線カバーが電線と当接し始める取付け作業の初期工程から、電線カバーが雌ハウジングと係合する直前までの工程においては、やはり作業者は電線の反力に抗して電線カバーを押圧し続ける必要があるから、電線カバーの取付け作業の効率が低下することが懸念される。
【０００５】
本発明は上記のような事情に基づいて完成されたものであって、電線カバーを取付ける際の作業効率を向上させたレバー式コネクタを提供することを目的とする。
【課題を解決するための手段】
【０００６】
上記の目的を達成するための手段として、請求項１の発明は、電線の端末に配設された端子金具を収容する一方のコネクタハウジングと、前記一方のコネクタハウジングと嵌合可能な他方のコネクタハウジングとを備えてなり、前記一方のコネクタハウジングには、前記他方のコネクタハウジングに設けられたカムピンと係合可能なカム溝が形成されたアーム部を備えたレバーが、前記カムピンが前記カム溝に係合するのを許容する待受け位置と、前記両コネクタハウジングが正規嵌合する嵌合位置との間で回動可能に取付けられると共に、前記電線が引き出された電線引出し面を覆うように電線カバーが取付けられており、前記電線引出し面から引き出された前記電線は、前記電線カバー内で略直角に屈曲した状態で配索されて、前記電線カバーの側面に開口された電線引出し口から引き出されるようになっているレバー式コネクタであって、前記電線カバーは、前記電線引出し面に対して斜め方向から取付けられるようになっており、前記レバーは、前記一方のコネクタハウジングの幅方向に沿った側面に、前記待受け位置において、前記アーム部の少なくとも一部が、前記電線引出し面から前記電線カバーの取付け方向後方に突出する姿勢で保持されるようになっており、前記アーム部のうち前記電線引出し面から突出した部位には案内部が形成されると共に、前記電線カバーには前記案内部と係合する受け部が形成されており、前記案内部及び前記受け部の少なくとも一方は前記電線カバーの取付け方向に沿うように形成されており、前記レバーが前記待受け位置に保持された状態で、前記案内部と前記受け部とが当たりあうことで、前記電線カバーは、姿勢が保持されたまま前記取付け方向に沿って前記一方のコネクタハウジング側の取付け位置に誘導されると共に、前記電線の反力を受けて回動するのを規制可能とされることを特徴とする。
【０００７】
請求項２の発明は、請求項１記載のものにおいて、前記レバーは、一対の前記アーム部を操作部により連結した略門形状をなすと共に、前記待受け位置において、前記一方のコネクタハウジングの前記幅方向に沿った両側面をまたぐようにして保持されるようになっており、前記電線カバーは、前記一対のアーム部のうち前記電線引出し面から突出した部位の内面と当たりあうことで、前記幅方向と交差する方向の位置ズレが抑制された状態で、前記一対のアーム部の間に進入するようにして前記電線引出し面に取付けられることを特徴とする。
【０００８】
請求項３の発明は、請求項１または請求項２記載のものにおいて、前記レバーは、前記待受け位置おいて、前記レバーの一部が前記電線引出し面の一部を覆うような斜め姿勢で保持されるようになっており、前記電線カバーは、前記レバーが前記待受け位置に保持された状態で、前記電線引出し面に対して、前記レバーの一部によって覆われている側の端部と反対側の端部側から斜め方向に取付けられるようになっており、前記一方のコネクタハウジング及び前記電線カバーのいずれか一方には、前記電線カバーの取付け方向に沿う案内面が形成されており、他方には、前記案内面と摺接することで、前記電線カバーを前記一方のコネクタハウジングの取付け位置へ誘導する摺接部が形成されていることを特徴とする。
【０００９】
請求項４の発明は、請求項１または請求項２記載のものにおいて、前記レバーは、前記一方のコネクタハウジングに対して、前記幅方向に関して対称な２つの姿勢での組付けを可能とされており、前記電線カバーは、前記レバーの組付け姿勢に対応して、前記一方のコネクタハウジングに対して、前記幅方向に関して対称な２つの姿勢での組付けを可能とされており、前記レバー及び前記電線カバーが前記一方のコネクタハウジングに対して前記幅方向に対称ないずれの姿勢で組付けられた場合でも、前記レバーが前記待受け位置に保持された状態で、前記電線カバーの姿勢が保持されたまま前記案内部と前記受け部とが当たりあうことで、前記電線カバーは、前記取付け方向に沿って前記一方のコネクタハウジング側の取付け位置に誘導されると共に、前記電線の反力を受けて回動するのを規制可能とされるとされることを特徴とする。
【００１０】
請求項５の発明は、請求項３記載のものにおいて、前記レバーは、前記一方のコネクタハウジングに対して、前記幅方向に関して対称な２つの姿勢での組付けを可能とされており、前記電線カバーは、前記レバーの組付け姿勢に対応して、前記一方のコネクタハウジングに対して、前記幅方向に関して対称な２つの姿勢での組付けを可能とされており、前記レバー及び前記電線カバーが前記一方のコネクタハウジングに対して前記幅方向に対称ないずれの姿勢で組付けられた場合でも、前記レバーが前記待受け位置に保持された状態で、前記電線カバーの姿勢が保持されたまま前記案内部と前記受け部とが当たりあうことで、前記電線カバーは、前記取付け方向に沿って前記一方のコネクタハウジング側の取付け位置に誘導されると共に、前記電線の反力を受けて回動するのを規制可能とされており、かつ、前記案内面と前記摺接部とが摺接することで、前記電線カバーが前記一方のコネクタハウジングの取付け位置へ誘導されることを特徴とする。
【００１１】
請求項６の発明は、請求項１ないし請求項５のいずれかに記載のものにおいて、前記端子金具は、前記電線引出し面側から、前記一方のコネクタハウジングに形成されたキャビティ内に挿入されるようになっており、前記レバーは、前記一方のコネクタハウジングに対して、前記電線引出し面が前記端子金具の挿入方向後方に開放された状態になる端子金具挿入位置で保持可能とされることを特徴とする。
【００１２】
請求項７の発明は、請求項６記載のものにおいて、前記端子挿入位置は、前記嵌合位置となっていることを特徴とする。
【発明の効果】
【００１３】
＜請求項１の発明＞
請求項１の発明によれば、アーム部のうち電線引出し面から電線カバーの取付け方向後方に突出する部位には案内部が設けられており、電線カバーには案内部と係合する受け部が設けられているから、電線と電線カバーとが当接し始める取付け作業の初期工程から、電線カバーは、案内部と受け部とが当たりあうことで一方のコネクタハウジングの取付け位置に取付け方向に沿って誘導されると共に、電線の反力で回動することを規制されるようになっている。これにより、電線カバーを、電線の反力に抗して一方のコネクタハウジングに取付けることが容易になるから、電線カバーの取付け作業の効率を向上させることができる。
【００１４】
＜請求項２の発明＞
請求項２の発明によれば、電線カバーは、一対のアーム部の内面と当たりあうことで、幅方向と交差する方向の位置ズレがアーム部の内面により抑制された状態で一方のコネクタハウジングに取付けることができる。これにより、電線カバーの取付け作業の効率を向上させることができる。
【００１５】
＜請求項３の発明＞
レバー式コネクタにおいては、レバーの一部が電線引出し面の一部を覆う位置に保持される場合がある。この場合、電線カバーと、レバーとの干渉を避ける必要があるため、電線カバーの取付け作業の効率が低下することが懸念される。
【００１６】
そこで、請求項３の発明においては、一方のコネクタハウジング及び電線カバーのいずれか一方に電線カバーの取付け方向に沿う案内面を設け、他方に案内面と摺接する摺接部を設ける構成とした。これにより、案内面と摺接部とを摺接させることで、電線カバーを、電線引出し面のうちレバーによって覆われている側の端部と反対側の端部側から斜め方向に変位させるというワンアクションの操作で、一方のコネクタハウジングに取付けることができる。
【００１７】
＜請求項４及び請求項５の発明＞
請求項４及び請求項５の発明によれば、例えばレバーの操作スペースが十分に確保できないためにレバーを回動操作しにくいような場合でも、レバーの取付け姿勢を、一方のコネクタハウジングに関して幅方向に対称な２つの姿勢のうちから選択することで、レバーを容易に回動操作可能とすることができる。この結果、両コネクタハウジングの嵌合作業を効率よく行うことができる。
【００１８】
＜請求項６の発明＞
レバー式コネクタにおいては、レバーの一部が電線引出し面の一部を覆う位置で保持される場合がある。この場合、端子金具をキャビティ内に挿入する際に、レバーと端子金具とが干渉するために、端子金具の挿入作業の効率が低下することが懸念される。
【００１９】
請求項６の発明によれば、レバーを端子金具挿入位置に保持して電線引出し面を端子金具の挿入方向後方に開放した状態にすることにより、レバーと端子金具とが干渉することなく、端子金具をキャビティ内に挿入することができる。
【００２０】
＜請求項７の発明＞
請求項７の発明によれば、レバーを嵌合位置に保持した状態で、端子金具を雌ハウジングのキャビティ内に挿入できる。
【発明を実施するための最良の形態】
【００２１】
本発明の一実施形態を図１ないし図１３によって説明する。本実施形態に係るレバー式コネクタは、雌ハウジング１０（本発明に係る一方のコネクタハウジングに相当）と、雄ハウジング１１（本発明にかかる他方のコネクタハウジングに相当）と、雌ハウジング１０に回動可能に取付けられたレバー１２と、雌ハウジング１０に取付けられる電線カバー１３とからなる。なお、以下の説明においては、両ハウジング１０，１１の嵌合方向を前方として説明する。
【００２２】
雄ハウジング１１は、合成樹脂製であって、前方に開口するフード部１４を備えてなる。フード部１４の奥壁には、雄端子金具１５が奥壁を貫通する状態で配されており、雄端子金具１５の一方の端部はフード部１４内に突出するようになっている。フード部１４の上壁及び下壁の外面のうち、前端寄りの位置には、上壁及び下壁の厚さ方向外方に突出する一対のカムピン１６が形成されており、カムピン１６の突出端には径方向外方に拡径されたフランジ１７が形成されており、レバー１２の回動操作時にカムピン１６が後述するカム溝１８から外れるのを防止するようになっている。カムピン１６の側方には、フード部１４の上壁及び下壁の外面からそれぞれの厚さ方向外方に突出すると共に、前後方向に延びると共にリブ状をなす一対の解除部１９が形成されており、後述するレバー１２の係止爪２０と雌ハウジング１０の係止部２１との係合を解除可能になっている。
【００２３】
雌ハウジング１０は、合成樹脂製であって、内筒部２２と、内筒部２２を包囲するように形成された外筒部２３とを備えてなり、内筒部２２と外筒部２３との間の空間は雄ハウジング１１のフード部１４が挿入される嵌合空間２４とされる。内筒部２２には前後方向に貫通するキャビティ２５が形成されており、このキャビティ２５内には、電線２６の端末に配された雌端子金具２７（本発明に係る端子金具に相当）が、内筒部２２の後面側から挿入されている。雌端子金具２７は、電線２６を圧着するバレル部２８と、バレル部２８の前方に連なる角筒部２９とを備えてなる。この角筒部２９内に前述の雄端子金具１５が挿入されて、角筒部２９内に形成された図示しない弾性接触片と弾性的に接触することで、雄端子金具１５と雌端子金具２７との電気的な接続が図られるようになっている。キャビティ２５の内壁には、キャビティ２５内に突出するランス３０が設けられており、このランス３０が雌端子金具２７の角筒部２９と係合することで、雌端子金具２７の抜け止めがなされるようになっている。内筒部２２の前端にはリテーナ３１が被着されており、これにより雌端子金具２７は二重係止されるようになっている。内筒部２２の後端面からは電線２６が引き出されており、電線引出し面３２とされる。
【００２４】
外筒部２３の上壁及び下壁には、前後方向に貫通すると共に、レバー１２を収容するためのレバー収容室３３が形成されている。レバー収容室３３と嵌合空間２４とを仕切る仕切り壁３４のうち、レバー収容室３３側の側面には、後端寄りの位置に、仕切り壁３４の厚さ方向外方に突出すると共に略円柱状をなす一対の支軸３５が形成されており、後述するレバー１２の軸孔３６に貫通するようになっている。仕切り壁３４のうち幅方向の略中方付近は、仕切り壁３４の前端縁から後方に向かって、略矩形状に切り欠かれており、切欠部３７とされる。切欠部３７の後端部は、幅方向内方に突設された一対の係止部２１により幅狭になっており、後述するレバー１２の係止爪２０と係合可能になっている。外筒部２３の左右両側壁の外側面には、両側壁の上下方向の略中央付近に、雌ハウジング１０の幅方向外方に突出するロック部３８が形成されており、後述するレバー１２に形成されたロックアーム３９の係止孔４０と係合可能になっている。ロック部３８の後面はロックアーム３９がロック部３８に乗り上げる動作を容易にするための斜面が形成されており、一方、ロック部３８の前面は、係止孔４０との係合を確実にするために切り立って形成されている。ロック部３８は、雌ハウジング１０の幅方向に関して対称な位置に形成されている。
【００２５】
内筒部２２の上壁及び下壁の外側面の後端縁のうち、幅方向の両端部には、それぞれ、上壁及び下壁の厚さ方向外方に突出するロック突起４１が形成されている。ロック突起４１の後面には、後方に向かうに従って上壁及び下壁の厚さ方向内方に傾斜するガイド面４２が形成されている。また、ロック突起４１の幅方向外方の側面には、幅方向外方に向かうに従って上壁及び下壁の厚さ方向内方に傾斜するガイド面４２が形成されている。これらのガイド面４２は、後述する電線カバー１３のロック受け部４３がロック突起４１に乗り上がる動作を容易にするようになっている。一方、ロック突起４１の前面は、ロック受け部４３との係合を確実にするために切り立って形成されている。内筒部２２上壁に形成されたロック突起４１同士は雌ハウジング１０の幅方向に関して対称に形成されており、また、内筒部２２の下壁に形成されたロック突起４１同士も、雌ハウジング１０の幅方向に関して対称に形成されている。そして、上壁に形成されたロック突起４１と、下壁に形成されたロック突起４１とは、雌ハウジング１０の上下方向に関して対称に形成されている。
【００２６】
図７に示すように、内筒部２２の上壁及び下壁のうち嵌合空間２４側の側面には、それぞれ、幅方向の略中央付近に、上壁及び下壁の後端縁から前方に向かって延びると共にリブ状をなす一対の摺接部４４が、上壁及び下壁の厚さ方向外方に突出して形成されている。この摺接部４４の側面と、後述する電線カバー１３の案内面４５とが摺接することで、電線カバー１３は、雌ハウジング１０の取付け位置に誘導されるようになっている。摺接部４４の突出端は、レバー収容室３３の仕切り壁３４に連なっている。
【００２７】
レバー１２は合成樹脂製であって、上方から見て略半円形状をなす一対のアーム部４６と、アーム部４６のうち、図２における左斜め上側の端部からやや外方に張り出して形成されると共に、一対のアーム部４６同士を連結する操作部４７とを備えてなる。レバー１２は、外筒部２３の上壁及び下壁に形成されたそれぞれのレバー収容室３３内に各アーム部４６が収容されて、雌ハウジング１０の幅方向に沿う上面及び下面をまたぐように配されると共に、待受け位置と、嵌合位置との間で回動可能に取付けられている。ここで、待受け位置とは、レバー１２のアーム部４６に形成されたカム溝１８に、雄ハウジング１１に形成されたカムピン１６が進入するのを許容するレバー１２の位置（図５参照）をいい、嵌合位置とは、両ハウジング１０，１１が正規嵌合した状態におけるレバー１２の位置をいう（図６参照）。なお、詳細には図示しないが、レバー１２は雌ハウジング１０の幅方向に関して対称な２つの姿勢で選択的に取り付け可能となっている。
【００２８】
アーム部４６の中心には、軸孔３６が上下に貫通して形成されており、上述した支軸３５が貫通するようになっている。また、アーム部４６には、図２における軸孔３６の下方に、カム溝１８が形成されており、カム溝１８内にカムピン１６を係合させた状態でレバー１２を回動することで、カムピン１６がカム溝１８に誘導されて、両ハウジング１０，１１を嵌合させるようになっている。アーム部４６には、図２における軸孔３６の右斜め下方に、レバー１２を待受け位置に保持するための係止爪２０が形成されている。この係止爪２０は、細長い板状をなすと共に片持ち状に延出する形態となっており、常にはアーム部４６の厚さ方向内方に突出するようになっている。係止爪２０の自由端は、レバー１２が待受け位置に保持された状態において、上述した雌ハウジング１０の係止部２１と係合するようになっている。また、係止爪２０は、レバー１２が待受け位置に保持された状態において、雄ハウジング１１のフード部１４が嵌合空間２４内に進入したときに、雄ハウジング１１の解除部１９と当接する位置に配されており、解除部１９が係止爪２０の内面と当接することで係止爪２０はアーム部４６の厚み方向外方に撓み変形して係止部２１との係合が解除されるようになっている。
【００２９】
操作部４７の内面には案内部４８が形成されており、この案内部４８の内面は、レバー１２が待受け位置に保持された状態で、電線カバー１３を雌ハウジング１０に取付ける際の取付け方向（後に詳述する）に沿うように形成されている。案内部４８の外面には、案内部４８の厚さ方向外方に突出する支持部４９が形成されており、支持部４９の突出端には、案内部４８の厚さ方向に撓み変形可能なロックアーム３９が形成されている。ロックアーム３９のうち図２における左斜め下側の端部寄りの位置には、雌ハウジング１０のロック部３８と係合する係止孔４０がロックアーム３９を貫通して形成されている。また、ロックアーム３９のうち図２における右斜め上側の端部は、ロック部３８と係止孔４０との係合を解除するための押圧部５０が形成されている。
【００３０】
図２に示すように、レバー１２は、雌ハウジング１０に対して待受け位置に保持された状態においては、アーム部４６の一部が電線引出し面３２から後方に突出すると共に、操作部４７が電線引出し面３２のうち図２における左端部を覆うような斜め姿勢で保持されるようになっている。一方、図６に示すように、レバー１２は、雌ハウジング１０に対して嵌合位置に保持された状態においては、電線引出し面３２が後方に開放された状態に保持されるようになっている。これにより、レバー１２が嵌合位置に保持された状態においては、雌端子金具２７が操作部４７と干渉することなくキャビティ２５内に挿入可能となっている。このように本実施形態においては、レバー１２の嵌合位置は、雌端子金具２７をキャビティ２５内に挿入可能な端子金具挿入位置を兼ねるようになっている。
【００３１】
電線カバー１３は、雌ハウジング１０の電線引出し面３２を覆うようにして取付けられている。この電線カバー１３は、電線引出し面３２に対して、レバー１２の操作部４７により覆われた側の端部（図２における左端部）と反対側の端部（図２における右端部）側から斜め方向（図２の矢線に示す方向）に取付けられるようになっている。図８ないし図１０に示すように、電線カバー１３は合成樹脂製であって、図８における下面側が開口する箱型に形成されている。電線カバー１３のうち、図８における右側面は、図８における下面と連続して開口しており、電線２６が電線カバー１３から引き出されるための電線引出し口５１とされる。電線引出し面３２から引き出された電線２６は、電線カバー１３の内部で略直角に屈曲されて、電線引出し口５１から引き出されるようになっている。電線カバー１３の両側板のうち図８における下縁には、幅方向の左右両端部に下方に突出する一対のロック受け部４３が形成されている。ロック受け部４３は、幅方向に関して対称に形成されている。このロック受け部４３と、雌ハウジング１０の内筒部２２に形成されたロック突起４１とが弾性的に係合することで、電線カバー１３は雌ハウジング１０に取付けられるようになっている。なお、電線カバー１３は、雌ハウジング１０に対するレバー１２の取付け姿勢に対応して、雌ハウジング１０の幅方向に関して対称な２つの姿勢で選択的に取付け可能となっている。
【００３２】
電線カバー１３の図９における上下方向の高さ寸法は、レバー１２のアーム部４６の内面同士の間隔よりも小さく設定されており、電線カバー１３は、レバー１２の一対のアーム部４６の間に進入可能になっている。
【００３３】
電線カバー１３のうち、図８における左側面は、角が傾斜した傾斜面５２とされる。この傾斜面５２の外面は、電線カバー１３を雌ハウジング１０に取付ける際の取付け方向に沿うように形成されており、レバー１２の案内部４８と当たりあうことで、電線カバー１３の姿勢を保持した状態で取付け方向に沿って雌ハウジング１０の取付け位置に誘導する受け部５３とされる。また、傾斜面５２の内面は、電線引出し面３２から引き出された電線２６の一部と当接することで、電線２６が略直角に屈曲するように誘導可能となっている。
【００３４】
電線カバー１３の側板のうち、一対のロック受け部４３の間には、図２における下方に略山形に突出する突出部５４が形成されている。この突出部５４は、電線カバー１３が雌ハウジング１０に取付けられた際に、一対の摺接部４４の間に進入するようになっている。
【００３５】
電線カバー１３の傾斜面５２側に形成されたロック受け部４３の幅方向内側の端縁は、電線カバー１３の取付け方向に沿うように形成されており、案内面４５とされる。また、突出部５４の端縁のうち、傾斜面５２と反対側に位置する端縁も、電線カバー１３の取付け方向に沿うように形成されており、案内面４５とされる。これら案内面４５は、電線カバー１３を雌ハウジング１０に取付ける際に、雌ハウジング１０の摺接部４４と摺接することで、電線カバー１３を取付け方向に沿って雌ハウジング１０の取付け位置に誘導可能になっている。
【００３６】
続いて、雌ハウジング１０に電線カバー１３を取付ける各工程における各部材同士の構成について説明する。
【００３７】
まず、レバー１２が待受け位置に保持された状態で、かつ、雌ハウジング１０と電線カバー１３とが図３に示す位置に配された状態では、電線２６の反力により、電線カバー１３は図３における反時計回り方向に回動しようとする。このとき、傾斜面５２の外面に形成した受け部５３を、操作部４７に形成した案内部４８の内面に内方から当接することで、電線カバー１３が回動しようとするのを受け部５３で支持することで防止することができるようになっている。
【００３８】
また、レバー１２が待受け位置に保持された状態では、操作部４７は、電線引出し面３２のうち図２における左端部を覆うように配されるようになっている。これにより、電線カバー１３は、矢線で示すように、電線引出し面３２に対して、図２における右斜め上方から、左斜め下方に向けて変位させて取付けるようになっている。そして、案内面４５及び受け部５３は、図２における右斜め上方から、左斜め下方に向けて傾斜して形成されており、上述した電線カバー１３の取付け方向に沿って形成されている。これにより、案内面４５を受け部５３と摺接させることで、電線カバー１３を雌ハウジング１０の取付け位置に誘導することができるようになっている。
【００３９】
そのうえ、電線カバー１３は、雌ハウジング１０の幅方向の両側面をまたぐように配されたレバー１２の間に当たりあいながら進入して取付けられるようになっているから、幅方向と交差する方向への変位を抑制されるようになっている。
【００４０】
次に雌ハウジング１０と電線カバー１３とが図４に示す位置に配されて、電線カバー１３の案内面４５を雌ハウジング１０の摺接部４４と当接する状態になると、案内面４５は、図４における右斜め上方から、左斜め下方に向けて傾斜して形成されており、矢線で示す電線カバー１３の取付け方向に沿って形成されているから、案内面４５と摺接部４４とを摺接させることで、電線カバー１３は、雌ハウジング１０の取付け位置に誘導されるようになっている。また、突出部５４が摺接部４４の間に突入するようになっており、突出部５４が仕切り壁３４と、仕切り壁３４の厚さ方向の内方から当接することにより、仕切り壁３４の厚さ方向の変位が規制されるようになっている。
【００４１】
さらに、雌ハウジング１０と電線カバー１３とが図５に示す位置に配されると、ロック受け部４３がロック突起４１に乗り上げた後、復帰変形し、ロック受け部４３がロック突起４１に前方から当接することで、電線カバー１３が雌ハウジング１０に取付けられるようになっている。
【００４２】
続いて、本実施形態に係るレバー式コネクタの作用、効果について説明する。まず、雌ハウジング１０に対して、レバー１２の操作部４７を図２における左側に向けて、待受け位置にあるときと同じ姿勢で、レバー収容室３３のうち仕切り壁３４と対向する壁部を厚さ方向外方に撓み変形させつつ、後方からレバー収容室３３内にアーム部４６を挿入する。さらにレバー１２を押し込むと、支軸３５が軸孔３６に嵌合する。これにより、レバー１２は雌ハウジング１０に対して待受け位置に保持される。
【００４３】
係止爪２０を治具等により撓み変形させて係止部２１との係合を解除し、レバー１２を図２における反時計回り方向に回動させる。すると、ロックアーム３９の先端がロック部３８と係合してロック部３８に乗り上げる。さらにレバー１２を回動させると、ロックアーム３９が復帰変形し、ロック部３８と係止孔４０とが係合することで、レバー１２が嵌合位置に保持される。すると、電線引出し面３２が後方に開放されて、雌端子金具２７をレバー１２と干渉させることなくキャビティ２５内に挿入可能となる。
【００４４】
この状態で、電線２６の端末に配設された雌端子金具２７を、後方（電線引出し面３２側）から、キャビティ２５内に挿入する。すると、ランス３０が角筒部２９と係合することで雌端子金具２７の抜け止めがなされる。さらに、リテーナ３１を内筒部２２の前方から被着することで、雌端子金具２７が二重係止される。
【００４５】
雌端子金具２７を収容し終えたら、ロックアーム３９の押圧部５０を押圧してロックアーム３９を撓み変形させてロック部３８と係止孔４０との係合を解除し、レバー１２を図２の時計回り方向に回動させて待受け位置に保持する。すると、レバー１２の操作部４７が、電線引出し面３２のうち、図２における左端部を覆うように配される。このとき、係止爪２０が係止部２１と係合することで、レバー１２が嵌合位置に不用意に回動しないようになっている。
【００４６】
続いて、電線カバー１３を、開口を電線２６引き出し面と対向させつつ、電線引出し口５１を図２における右側に向けた姿勢で、雌ハウジング１０に対し、操作部４７により覆われていない端部側（図２における右端部側）から、操作部４７との干渉を避けて、矢線に示す斜め方向から組み付ける。まず、電線引出し面３２から引き出された電線２６を一まとめに束ねつつ、電線カバー１３内に収容し、傾斜面５２の内面に電線２６の一部を当接させることで電線２６を屈曲させて電線引出し口５１から導出する。
【００４７】
次に、受け部５３の外面を案内部４８の内面に内方から当接させる。これにより、電線２６の反力により、電線カバー１３が図２における反時計回り方向に回動することを防止できる。このように本実施形態においては、電線カバー１３の取付け工程の初期の段階から、電線カバー１３の回動を防止できるから、作業者は、電線２６の反力に抗して電線カバー１３を押圧しなくてもよくなる。続いて、受け部５３と案内部４８とを摺接させつつ、電線カバー１３の姿勢を保持したままで、電線カバー１３を図２における左斜め下方に変位させる。すると、上述したように、受け部５３の外面と案内部４８の内面は、電線カバー１３の取付け方向に沿うように形成されているから、電線カバー１３は、雌ハウジング１０の取付け位置に誘導される。このとき、電線カバー１３は、アーム部４６の内面と当たりあいながら、アーム部４６の間に進入するようにして組みつけられるから、上下方向の変位が抑制された状態になっている。これにより、電線カバー１３の組付け作業の作業効率を向上させることができる。
【００４８】
この点、電線カバー１３の回動を規制するためには、案内部４８を、電線引出し面３２から電線カバー１３の取付け方向後方に突設することが考えられる。これにより、電線カバー１３の取付け作業の初期から、電線カバー１３は案内部４８により雌ハウジング１０の取付け位置に誘導されるから、作業者は電線２６の反力に抗して電線カバー１３を押圧しなくてもよくなる結果、電線カバー１３の取付け作業の効率が向上することが期待される。
【００４９】
しかしながら上記の構成によると、案内部４８は、電線引出し面３２から突出しているため、異物が衝突した場合に破損することが懸念される。
【００５０】
上記の点を鑑み、本実施形態においては、レバー１２の操作部４７に案内部４８を形成する構成としたから、異物が衝突した場合でも、案内部４８が破損することを防止できる。
【００５１】
さらに、電線カバー１３を押し込んで、図４に示す状態にして、電線カバー１３の案内面４５と、雌ハウジング１０の摺接部４４とを当接させる。すると、上述したように、案内面４５は電線カバー１３の取付け方向に沿うように形成されているから、案内面４５と摺接部４４とを摺接させることで、電線カバー１３を雌ハウジング１０側の取付け位置にまで誘導することができる。詳細には、図１１ないし図１３によって説明する。図１１に示す状態から、図中の矢線で示す電線カバー１３の取付け方向に沿って、電線カバー１３を押し込む。続いて、図１２に示すように、図１２における右側の案内面４５と、右側の摺接部４４の右側面とを摺接させる。同時に、左側の案内面４５と、左側の摺接部４４の右側面とを摺接させる。この状態で、図中の矢線の方向にさらに押し込むと、図１３に示すように、電線カバー１３は、雌ハウジング１０側の取付け位置に誘導される。
【００５２】
電線カバー１３が図５に示す位置に変位すると、撓み変形したロック受け部４３がロック突起４１を乗り越えて復帰変形し、ロック突起４１と前方から係合することで、電線カバー１３が雌ハウジング１０に対して正規位置で取付けられる。このように本実施形態によれば、案内面４５と摺接部４４とを摺接させることで、操作部４７との干渉を避けつつ、電線カバー１３を斜め方向からワンアクションで雌ハウジング１０に取付けることができる。
【００５３】
続いて、雌雄の両ハウジング１０，１１を嵌合させる。まず、レバー１２を雌ハウジング１０に対して待受け位置で保持した状態で、雄ハウジング１１と雌ハウジング１０とを嵌合させて、カムピン１６をカム溝１８内に進入させる。すると、解除部１９が係止爪２０の内面と当接することにより、係止爪２０がアーム部４６の厚さ方向外方に撓み変形する。これにより、係止爪２０と係止部２１との係合が解除され、レバー１２が図５における反時計回り方向に回動可能になる。
【００５４】
レバー１２を図５における反時計回り方向に回動させると、カムピン１６がカム溝１８とのカム作用により誘導されて、両ハウジング１０，１１が互いに引き寄せられる。さらにレバー１２を回動させると、ロックアーム３９がロック部３８に乗り上げて撓み変形し、その後、復帰変形して、ロック部３８と係止孔４０とが係合することで、レバー１２が嵌合位置に保持されて、レバー１２が待受け位置に不用意に回動しないようになっている。このようにして、両ハウジング１０，１１を正規嵌合することができる。このとき、雄端子金具１５が接続部の弾性接触片と接触することで、両端子金具が電気的に接続される。
【００５５】
メンテナンス等により、両ハウジング１０，１１を離脱させる場合は、ロックアーム３９の押圧部５０を押圧して撓み変形させて、ロック部３８と係止孔４０との係合を解除し、レバー１２を時計回り方向に回動させ、待受け位置にまで回動させる。するとカムピン１６がカム溝１８に誘導されて両ハウジング１０，１１が互いに離間する。そして、レバー１２を待受け位置に保持した後、両ハウジング１０，１１を引き離せばよい。
【００５６】
本実施形態においては、電線引出し口５１を図６における右側に向くようにする構成としたが、電線引出し口５１を図６における左側を向くようにする構成とすることもできる。この場合は、雌ハウジング１０にレバー１２を組み付ける際に、レバー１２の操作部４７を図２における右側に向けてレバー収容室３３内にアーム部４６を挿入する。その後、レバー１２の回動方向を上記とは逆に操作して、雌端子金具２７を雌ハウジング１０に収容する。そして、電線カバー１３を、開口を電線引出し面３２と対向させつつ、電線引出し口５１を図２における左側を向けた姿勢で、雌ハウジング１０に対し、操作部４７により覆われていない図２における左端部側から、操作部４７との干渉を避けて、斜め方向に組み付ける。その後、上記とは左右方向を逆にして、電線カバー１３を雌ハウジング１０に取付ける。続いて、上記とはレバー１２の回動方向を逆に操作して、雌ハウジング１０と雄ハウジング１１とを嵌合させる。
【００５７】
このように、本実施形態によれば、レバー１２の取付け姿勢を、雌ハウジング１０の幅方向に関して２つの対称な姿勢から選択できる。これにより、レバー１２の操作スペースが十分に確保できない場所にレバー式コネクタを設置する場合でも、レバー１２の取付け姿勢を選択することで、レバー１２を容易に回動操作可能とすることができるから、両ハウジング１０，１１の嵌合作業を効率よく行うことができる。
【００５８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００５９】
（１）本実施形態では、レバー１２の操作部４７の内面に案内部４８が形成される構成としたが、これに限られず、例えば、アーム部４６の内面には電線カバー１３の取付け方向に沿う案内溝（本発明の案内部に相当）が形成され、この案内溝が電線カバー１３に突設された案内突起（本発明の受け部に相当）と係合するようになっていてもよい。
【００６０】
（２）本実施形態では、レバー１２は略門形状をなしていたが、これに限られず、板状のアーム部４６からなる片持ち状であってもよい。このとき、アーム部４６のうち電線引出し面３２から後方に突出する側の端部から側方視略Ｌ字状に案内部４８を突設する構成としてもよい。
【００６１】
（３）本実施形態では、電線カバー１３に案内面４５が形成され、雌ハウジング１０に摺接部４４が形成される構成としたが、これに限られず、雌ハウジング１０に案内面４５が形成され、電線カバー１３に摺接部４４が形成される構成としてもよい。
【００６２】
（４）本実施形態においては、レバー１２は、雌ハウジング１０の幅方向に関して対称な２つの姿勢での組付けが可能となっており、かつ、電線カバー１３は、レバー１２の取付け姿勢に対応して、雌ハウジング１０の幅方向に関して対称な２つの姿勢で取付けが可能とされているが、これに限られず、レバー１２及び電線カバー１３は雌ハウジング１０に対して単一の姿勢で組み付けられる構成としてもよい。
【００６３】
（５）本実施形態では、アーム部４６は、待受け位置において、電線引出し面３２から斜めに突出する姿勢で保持される構成であったが、これに限られず、アーム部４６は、待受け位置において、電線引出し面３２から略直行して突出する姿勢で保持される構成としてもよい。
【００６４】
（６）本実施形態では、レバー１２の嵌合位置と、端子金具挿入位置とが一致する構成としたが、これに限られず、嵌合位置と、端子金具挿入位置とが異なる構成としてもよい。
【００６５】
（７）本実施形態においては、一方のコネクタハウジングを雌ハウジング１０とし、他方のコネクタハウジングを雄ハウジング１１としたが、これに限られず、一方のコネクタハウジングを雄ハウジング１１とし、他方のコネクタハウジングを雌ハウジング１０としてもよい。
【図面の簡単な説明】
【００６６】
【図１】本実施形態に係るレバー式コネクタの断面図
【図２】雌ハウジングにレバーを待受け位置に保持した状態の平断面図と、電線カバーの平断面図
【図３】雌ハウジングに電線カバーを取付ける作業の初期状態を示す平断面図
【図４】図３よりも電線カバーの取付け作業が進行した状態を示す平断面図
【図５】雌ハウジングに電線カバーが取付けられた状態を示す平断面図
【図６】雄ハウジングと雌ハウジングとが正規嵌合した状態を示す平断面図
【図７】雌ハウジングに対してレバーを嵌合位置に保持した状態を示す背面図
【図８】電線カバーの平面図
【図９】電線カバーの正面図
【図１０】図９におけるＡ−Ａ線断面図
【図１１】雌ハウジングの摺接部と電線カバーの案内面とが係合する前の状態を示す一部拡大斜視図
【図１２】雌ハウジングの摺接部と電線カバーの案内面とが係合した状態を示す一部拡大斜視図
【図１３】雌ハウジングに電線カバーが取付けられた状態を示す一部拡大斜視図
【符号の説明】
【００６７】
１０…雌ハウジング（一方のコネクタハウジング）
１１…雄ハウジング（他方のコネクタハウジング）
１２…レバー
１３…電線カバー
１６…カムピン
１８…カム溝
２５…キャビティ
２６…電線
２７…雌端子金具（端子金具）
３２…電線引出し面
４４…摺接部
４５…案内面
４６…アーム部
４７…操作部
４８…案内部
５１…電線引出し口
５３…受け部
【図１】
2007066679.tif 000003
【図２】
2007066679.tif 000004
【図３】
2007066679.tif 000005
【図４】
2007066679.tif 000006
【図５】
2007066679.tif 000007
【図６】
2007066679.tif 000008
【図７】
2007066679.tif 000009
【図８】
2007066679.tif 000010
【図９】
2007066679.tif 000011
【図１０】
2007066679.tif 000012
【図１１】
2007066679.tif 000013
【図１２】
2007066679.tif 000014
【図１３】
2007066679.tif 000015